(57)【要約】【課題】  蒸気洗浄機で、温水や洗浄剤をエジェクター式ノズルで噴射すると、洗浄効果が向上することが知られているが、蒸気の流速が大きいのに、液滴の流速が大きくならず、洗浄効果があるところからは大きくならないという欠点があった。【解決手段】  エジェクター式蒸気ノズルにおいて、同心二重管式のエジェクターノズルにし、中心部に液を噴出させ、駆動蒸気を外側リング状ノズルより噴射させるようにする。【選択図】  図１
2006334585.tif 000002
【特許請求の範囲】
【請求項１】
蒸気を駆動ガスとし、水あるいは洗浄剤の水溶液などの液体の助剤を被駆動液体とするエジェクターノズルにおいて、ノズルの中心部に助剤用の小径のノズルを設け、ノズルには、助剤流路を経て、助剤供給口に連絡するとともに、助剤ノズルを包むように、リング状の蒸気噴射口を構成し、この蒸気噴出口に蒸気通路、連通溝を経て、蒸気供給管に連結し、高圧高温の蒸気を供給するとき、外側の蒸気が駆動ガスとなり、中心部の液体の助剤を静止部材に接触することなく、噴出させるようにしたことを特徴とする。
【発明の詳細な説明】
【技術分野】
【０００１】  蒸気洗浄用のノズルで、蒸気を駆動ガスとし、助剤を被駆動液体とするエジェクターノズルに関する。
【技術背景】
【０００２】  従来一般には、流速が早く、ノズル口径が相対的に小さくなる駆動ガスノズルを、二重管ノズルの中心部にし、被駆動液は外側にする。その文献を下記に示す。
【特許文献１】  特開２００１−２８０３００
【発明の開示】
【発明が解決しようとする課題】
【０００３】  蒸気と水を体の管で流すとき、蒸気の速度が非常に早いときは、図３に示すように、管内の空間に存在する水あるいは水滴は、下流に流れている間に管壁に捕捉され、蒸気に駆動されるが、粘性が大きいことから、蒸気とは比べものにならないくらい遅い速度で流れ、管端では、それらが水滴となり、飛び出していくが、蒸気の速度分布から、速度の低い蒸気に駆動されるため、水滴の速度は大きくならない。【０００４】  図４は、従来一般に利用される蒸気駆動のエジェクターの概念図であるが、基本的には、外管２０１に接して液体が駆動され、流れるので、図３と同様、液体は、蒸気速度に比べて、小さな速度流れる。このため、蒸気洗浄においては、水滴が蒸気に駆動され、大きな速度で飛来し、対象物に衝突して、大きな洗浄パワーが出ることが期待されているが、このようなエジェクターでは、蒸気洗浄のパワーが十分発揮できないという欠点があった。
【課題を解決するための手段】
【０００５】  図５は、本発明の原理説明図である。駆動ガスとしての蒸気を二重管ノズルの外側にし、助剤などの液体の被駆動流体を中心部より供給するようにする。
【発明の効果】
【０００６】  中心部の液滴は、ノズル出口部で、駆動ガス中に浮遊することになり、ほとんど音速の蒸気に駆動され、非常に高い速度に加速され、洗浄力を著しく大きくすることができる。
【発明を実施するための最良の形態】
【０００７】  図１、図２は、発明を実施するための形態を示したもので、これにて詳細説明をする。１は蒸気ノズルの本体、２は助剤ノズル、３は蒸気供給管コネクタ、４は蒸気供給管、５は分配溝、６は蒸気噴射口入口、７は噴射口、８は助剤口、９は助剤通路、１０は助剤噴出口、１１は蒸気通路、１２は助剤噴出口の同心保持材、１３は溶接接合部である。【０００８】  水、温水、あるいは、洗浄剤の水溶液などの助剤は、助剤口８に供給される。ここの圧力は、ほぼ大気圧で、図示されていないが、低圧の配管で、流量調整弁を経て、助剤タンクに連結される。通常は、加圧用のポンプなどは設けない。助剤口８の助剤は、通路９を経て、噴出口１０に導かれる。噴出口１０で、蒸気に開口されるまでは、これらの通路９は、蒸気の部屋とは、気密が保持されるようにする。【０００９】  一方、蒸気は、蒸気供給管４に設けられたコネクター３に、図示されていないが、蒸気ストップ弁や圧力調整弁を経て、蒸気発生機に連結される。そして、いったん、蒸気ノズル本体１の中の助剤ノズル２の外側に加工された分配溝５に入り、複数の蒸気通路１１を経て、蒸気噴射口入口６に導かれる。蒸気供給管４や、蒸気通路１１、蒸気噴射口入口６などの流路面積は、噴射口７の流路面積より十分大きくする。【００１０】  蒸気ノズル本体１に対し、助剤ノズル２は、同心保持材１２により、同心に保持する。そして、助剤ノズル２の噴出口１０の外径と蒸気ノズル本体１の噴射する側の内径で、リング状の蒸気の噴射口７を構成する。この噴射口７は、噴射口入口６で、最も流路面積が小さく、助剤噴出口１０の外径部のテーパ、あるいは、蒸気ノズル本体１の噴射口７の部分の拡大テーパにより、流路面積が等しいか、大きくなるようにする。噴射口７の中心部に同心を保持し、助剤噴出口１０が来るようにする。【００１１】  助剤を助剤口８に供給した状態で、同時に、蒸気供給管コネクタ３、そして、蒸気供給管４に高温高圧の蒸気を供給すると、蒸気は、蒸気噴射口入口６で絞られ、噴射口７に流れると、音速またはそれ以上に加速され、勢い良くノズル外に噴射される。このとき、噴射口７の出口近くでは、膨張したところなので、圧力は大気圧またはそれより低くなっている。助剤噴出口１０で、蒸気流路が拡大することになり、ここに負圧が発生する。したがって、助剤噴出口１０から、助剤が吸引され、蒸気とともに噴射される。噴出した助剤は、最初は低い速度であるが、浮遊しているので、何の抵抗もなく、高速度の蒸気に衝突し、微粒化されるとともに、加速される。そして、非常に高速度の微粒子となる。【００１２】  蒸気噴射口入口６では、１００℃を越えているので、ノズルの噴射口７を出た蒸気は、いったんは、大気圧で過熱蒸気になることもあるが、蒸気に含まれている水分の再蒸発や、周囲の空気による冷却などにより、飽和温度になり、安定する。したがって、噴射された蒸気の中に存在する助剤は、蒸発することなく、ほとんどが液体のまま存在している。このため、蒸気によって加速された助剤に、洗浄の対象物に衝突すると、微細粒子がくずれるときにキャビテーションを起こしたりして、大きな洗浄力を発揮する。このような洗浄力は、微粒子の速度が大きいとき、一層大きくなるので、本発明のノズルでは、非常に大きな洗浄力を発生させることができる。
【実施例】
【００１３】  図６、図７は実施例の説明図である。これについて、実施例を詳細説明する。図６、図７で、１１０１は蒸気ノズル本体、１１０２は助剤ノズル、１１０３は蒸気ノズル部材、１１０４は蒸気供給口、１０５は分配室、１１０６は蒸気噴射口入口、１１０７は噴射口、１０８は助剤口、１１０９は助剤通路、１１１０は助剤噴出口、１１１１は蒸気通路、１１１２は助剤ノズルの同心保持材、１１１３は助剤ノズル１１０２と蒸気ノズル部材１１０３の接合部である。【００１４】  細いパイプをへの字に曲げた助剤ノズル１１０２に、助剤ノズル同心保持材１１１２を接合し、これを蒸気ノズル部材１１０３に設けられた穴に挿入し、組立て、これに蒸気ノズル本体１１０１の内側に、助剤ノズル１０２と助剤ノズル同心保持材１１１２を挿入することにより、組立てられる。そして、蒸気ノズル本体１１０１と蒸気ノズル部材１１０３、助剤ノズル１１０２と蒸気ノズル部材１１０３を、溶接などの手段で接合した上で、助剤口１１０８を接合して作られる。この結果として、蒸気ノズル本体１１０１に対し、同心状に助剤ノズル１１０２が取付けられ、蒸気噴射口入口１１０６、噴射口１１０７が、リング状の流路が構成される。【００１５】  助剤は、助剤口１１０８より、通路１１０９を経て、助剤噴出口１１１０に導かれる。蒸気は、蒸気供給口１１０４より、分配室１１０５、通路１１１１を経て、蒸気噴射口入口１１０６から、噴射口１１０７に導かれる。このとき、蒸気噴射口入口１１０６の流路面積より、蒸気供給口１１０４や、通路１１１１の流路面積を十分大きくしておく。噴射口１１０７は、蒸気ノズル本体１１０１の、噴射口１１０７部の内径をテーパ状にするか、または、助剤ノズル１１０２の外周をテーパ状にするか、あるいは、その両方をして、流れに従って、流路面積が広くなるようにする。【００１６】  助剤口８は、図示されていないが、流量調整弁を介して、助剤タンクに連結される。また、蒸気供給口１１０４には、流量調整弁、ストップ弁を経て、蒸気発生機に連結され、必要に応じて、高温高圧の蒸気が供給される。【００１７】  助剤口１１０８に助剤を供給し、同時に、蒸気供給口１１０４に高温、高圧の蒸気を供給すると、蒸気は、分配室１１０５、通路１１１１を通って、蒸気噴射口入口１１０６に、そして、噴射口１１０７より噴射される。このとき、蒸気噴射口１１０６の流路面積が最も小さいので、ここで絞られ、音速になり、噴射口１１０７で膨張して、より一層高い速度になり、噴射される。噴射口１１０７の中心部にある助剤噴出口１１０７出口付近は、蒸気の噴流が拡大する部分にあり、負圧となるため、助剤噴出口１１０７より吸引され、流出する。このとき、高速の蒸気との摩擦により、微粒化され、浮遊し、そして、周囲の蒸気に加速される。浮遊している粒子は、蒸気にのって、非常に高い速度となり、洗浄対象物に衝突する。【００１８】  蒸気の洗浄は、蒸気の凝縮や水滴の再蒸発、高速粒子の衝突によりキャビテーションやエロージョンによると言われており、粒子の速度が早いほど、その洗浄力は大きいので、本発明のように得られる高速粒子を噴射するノズルは、蒸気洗浄効果が非常に優れたものとなる。
【図面の簡単な説明】
【００１９】
【図１】  本発明の実施するための形態を説明する図
【図２】  図１のＡ−Ａ断面図
【図３】  本発明で、蒸気管に存在する液体の挙動を説明する図
【図４】  従来の蒸気駆動、液体被駆動のエジェクターの流体の挙動を説明する図
【図５】  本発明の基本となる外周側蒸気駆動、中心部液体被駆動としたノズルの流体の挙動を説明する図
【図６】  本発明の実施例を示す横断面図
【図７】  図６のＢ−Ｂ断面図
【００２０】図１、図２において、
１…蒸気ノズル本体
２…助剤ノズル
３…蒸気供給管コネクタ
４…蒸気供給管
５…分配溝
６…蒸気噴射口入口
７…噴射口
８…助剤口
９…助剤通路
１０…助剤噴出口
１１…通路
１２…助剤ノズル同心保持剤
図３において、
１０１…蒸気管
１０２…蒸気
１０３…水
１０４…噴射蒸気
１０５…噴射蒸気中の水滴
【符号の説明】
図４において、
２０１…外管
２０２…蒸気管
２０３…液体
２０４…噴射蒸気
２０５…供給蒸気
２０６…供給液体
２０７…噴射蒸気中の液滴
図５において
３０１…蒸気管
３０２…液供給管
３０３…供給液
３０４…供給蒸気
３０５…噴射蒸気
３０６…噴射蒸気中の液滴
図６、図７において
１１０１…蒸気ノズル本体
１１０２…助剤ノズル
１１０３…蒸気ノズル部材
１１０４…蒸気供給口
１１０５…分配室
１１０６…蒸気噴射口入口
１１０７…蒸気噴射口
１１０８…助剤口
１１０９…助剤供給管
１１１０…助剤噴出口
１１１１…通路
１１１２…助剤ノズル同心保持材
【図１】
2006334585.tif 000003
【図２】
2006334585.tif 000004
【図３】
2006334585.tif 000005
【図４】
2006334585.tif 000006
【図５】
2006334585.tif 000007
【図６】
2006334585.tif 000008
【図７】
2006334585.tif 000009